(57)【要約】      （修正有）【課題】使用者が同時に２つの料理を調理できる電熱鍋コンロを提供する。【解決手段】電熱鍋コンロであって、ハウジング１０と、ハウジングの頂部に設けられるとともに、２つの調理槽２１、２２が形成された鍋本体２０と、鍋本体に当接するとともに、それぞれ２つの調理槽の下方に位置し、加熱電力が互いに異なる２つの電熱ユニット４１、４２と、ハウジング内に設けられるとともに、該ハウジングから突出する手動操作部３１を有し、２つの電熱ユニットと電気接続される制御モジュール３０と、を備え、鍋本体の２つの調理槽及び制御モジュールの手動操作部が一直線上に配列される。【選択図】図２
0003224444.tif 000002
【実用新案登録請求の範囲】
【請求項１】
ハウジングと、
前記ハウジングの頂部に設けられるとともに、２つの調理槽が形成された鍋本体と、
前記鍋本体に当接するとともに、それぞれ前記２つの調理槽の下方に位置し、加熱電力が互いに異なる２つの電熱ユニットと、
前記ハウジング内に設けられるとともに、該ハウジングから突出する手動操作部を有し、前記２つの電熱ユニットと電気接続される制御モジュールと、
を備え、
前記鍋本体の２つの調理槽及び制御モジュールの手動操作部が一直線上に配列された、電熱鍋コンロ。
【請求項２】
前記各電熱ユニットは、１本の細長い形状の電熱管であり、前記２つの電熱ユニットの長さが互いに異なる、
請求項１に記載の電熱鍋コンロ。
【請求項３】
前記各調理槽が、前記２つの調理槽及び制御モジュールの手動操作部の配列方向に対して垂直な長手方向に延び、
前記各電熱ユニットが、対応する前記調理槽の長手方向に延びるとともに互いに間隔を置いて設けられた複数の第１直線部を有する、
請求項２に記載の電熱鍋コンロ。
【請求項４】
前記１つの電熱ユニットが、前記２つの調理槽及び制御モジュールの手動操作部の配列方向に延びる２つの第２直線部を有し、該２つの第２直線部がそれぞれ、該調理槽の底面の前記長手方向に沿った相対する両側辺に隣接する、
請求項３に記載の電熱鍋コンロ。
【請求項５】
前記２つの電熱ユニットがそれぞれ、第１電熱ユニット及び第２電熱ユニットであり、該第２電熱ユニットの長さが、該第１電熱ユニットの長さよりも長く、該第２電熱ユニットの前記第１直線部の数が、該第１電熱ユニットの前記第１直線部の数よりも多く、さらに、該第２電熱ユニットの前記複数の第１直線部の間隔が、該第１電熱ユニットの前記複数の第１直線部の間隔よりも小さい、
請求項３に記載の電熱鍋コンロ。
【請求項６】
前記鍋本体の底面が、前記２つの調理槽の下方にそれぞれ位置する２つの嵌合溝を有し、
前記２つの電熱ユニットがそれぞれ、前記２つの嵌合溝に嵌合する、
請求項１に記載の電熱鍋コンロ。
【請求項７】
前記鍋本体に当接するとともに、前記制御モジュールに電気接続される少なくとも１つの過熱センサを有する、請求項１から６のいずれか１項に記載の電熱鍋コンロ。
【請求項８】
前記ハウジングの外周輪郭の周囲長が、該ハウジングの底部から頂部に向かって短くなる、請求項１から６のいずれか１項に記載の電熱鍋コンロ。
【請求項９】
前記ハウジングが、
前記ハウジングの対向する２つの側にそれぞれ設けられるとともに、互いに相手に向かって傾斜する前側壁及び後側壁と、
前記ハウジングの対向する２つの側にそれぞれ設けられるとともに、互いに相手に向かって傾斜する左側壁及び右側壁と、を有し、
前記前側壁と後側壁との結線が、前記左側壁と右側壁との結線に対して垂直である、請求項１から６のいずれか１項に記載の電熱鍋コンロ。
【考案の詳細な説明】
【技術分野】
【０００１】
本考案は、調理コンロ、特に電熱コンロに関するものである。
【背景技術】
【０００２】
従来技術における電熱鍋コンロは、ハウジング、電熱ユニット及び鍋本体を有し、該鍋本体は、ハウジングの頂部に設置されるととともに、内部空間を有し、該電熱ユニットは、該鍋本体の下方に当接して調理用の熱エネルギーを提供する。電熱鍋コンロを使用する際は、食材を鍋本体内に直接入れて、炒める、煮る、等の異なる調理方法で料理を行うことができる。
【０００３】
しかしながら、従来の電熱鍋コンロは、炒める、煮るの２種類の操作を同時に行うことができず、使用者が炒めものと温かい汁物を同時に楽しもうとする場合、順番に調理をして、料理が２品とも完成してからでなければ食べることができず、これでは、待っている間に先にできあがった料理が冷めておいしさが失われ、さらに調理にも時間がかかってしまう。
【０００４】
そのため、従来技術の電熱鍋コンロには改良の余地があった。
【考案の概要】
【考案が解決しようとする課題】
【０００５】
本考案は、前記従来技術の欠点と不足に鑑み、電熱鍋コンロにより、使用者が同時に２つの料理を調理できるようにすることを目的とする。
【課題を解決するための手段】
【０００６】
上記の考案の目的を達成するため、本考案が採用する技術手段は、電熱鍋コンロであって、該電熱鍋コンロは、
ハウジングと、
前記ハウジングの頂部に設けられるとともに、２つの調理槽が形成された鍋本体と、
前記鍋本体に当接するとともに、それぞれ前記２つの調理槽の下方に位置し、加熱電力が互いに異なる２つの電熱ユニットと、
前記ハウジング内に設けられるとともに、該ハウジングから突出する手動操作部を有し、前記２つの電熱ユニットと電気接続される制御モジュールと、
を備え、
前記鍋本体の２つの調理槽及び制御モジュールの手動操作部が一直線上に配列されている。
【０００７】
本考案の優れた点は、鍋本体内に２つの調理槽を有し、２つの電熱ユニットがそれぞれ２つの調理槽の下方に設置されることにより、使用者は２つの調理槽内でそれぞれ異なる料理を同時に調理することができ、また、２つの電熱ユニットは加熱電力が異なるため、使用者は、加熱電力の大きい調理槽で、例えば鍋もののような強い火力を必要とする料理を行うと同時に、加熱電力の小さい調理槽で、例えば肉を焼くような弱い火力ですむ料理を行うことができる点である。このように、本考案を用いれば、使用者は、できたてのおいしい料理を２品同時に楽しむことができ、調理にかかる時間も短縮することができ、さらに、２つの調理槽と制御モジュールの手動操作部を一直線上に配列することで、本考案を使用する上での利便性をいっそう高めている。
【０００８】
さらに、前記電熱鍋コンロは、前記各電熱ユニットが、１本の細長い形状の電熱管であり、前記２つの電熱ユニットの長さが互いに異なる。
【０００９】
さらに、前記電熱鍋コンロは、前記各調理槽が、前記２つの調理槽及び制御モジュールの手動操作部の配列方向に対して垂直な長手方向に延び、前記各電熱ユニットが、対応する前記調理槽の長手方向に延びるとともに互いに間隔を置いて設けられた複数の第１直線部を有する。
【００１０】
さらに、前記電熱鍋コンロは、前記１つの電熱ユニットが、前記２つの調理槽及び前記制御モジュールの手動操作部の配列方向に延びる２つの第２直線部を有し、該２つの第２直線部がそれぞれ、該調理槽の底面の前記長手方向に沿った相対する両側辺に隣接する。
【００１１】
さらに、前記電熱鍋コンロは、前記２つの電熱ユニットがそれぞれ、第１電熱ユニット及び第２電熱ユニットであり、該第２電熱ユニットの長さが、該第１電熱ユニットの長さよりも長く、該第２電熱ユニットの前記第１直線部の数が、該第１電熱ユニットの前記第１直線部の数よりも多く、さらに、該第２電熱ユニットの前記複数の第１直線部の間隔が、該第１電熱ユニットの前記複数の第１直線部の間隔よりも小さい。
【００１２】
さらに、前記電熱鍋コンロは、前記鍋本体の底面が、それぞれ前記２つの調理槽の下方に位置する２つの嵌合溝を有し、前記２つの電熱ユニットが、それぞれ前記２つの嵌合溝に嵌合する。
【００１３】
さらに、前記電熱鍋コンロは、前記鍋本体に当接するとともに、前記制御モジュールに電気接続される少なくとも１つの過熱センサを有する。
【００１４】
さらに、前記電熱鍋コンロは、前記ハウジングの外周輪郭の周囲長が、該ハウジングの底部から頂部に向かって短くなる。
【００１５】
さらに、前記電熱鍋コンロは、前記ハウジングが、前記ハウジングの対向する２つの側にそれぞれ設けられるとともに、互いに相手に向かって傾斜する前側壁及び後側壁と、前記ハウジングの対向する２つの側にそれぞれ設けられるとともに、互いに相手に向かって傾斜する左側壁及び右側壁と、を有し、前記前側壁と後側壁との結線が、前記左側壁と右側壁との結線に対して垂直である。
【考案の効果】
【００１６】
本考案の電熱鍋コンロにより、使用者が同時に２つの料理を調理できる。
【図面の簡単な説明】
【００１７】
【図１】本考案の外観斜視図である。
【図２】本考案の構成要素の分解図である。
【図３】本考案の構成要素を別の角度から見た分解図である。
【図４】本考案の鍋本体、電熱ユニット及び過熱センサの底面視図である。
【図５】本考案の断面模式図である。
【図６】本考案の正面視図である。
【考案を実施するための形態】
【００１８】
以下、図及び本考案の好ましい実施形態と合わせて、本考案が所期の目的を達成するために講ずる技術的手段についてさらに説明する。
【００１９】
図１及び図２に示すように、本考案の電熱鍋コンロは、ハウジング１０、鍋本体２０、制御モジュール３０及び２つの電熱ユニットを備え、且つ本実施形態においては、２つの過熱センサ５０をさらに備える。
【００２０】
さらに、図２、図５及び図６に示すように、本実施形態では、前記ハウジング１０が四角形のケース体であり、該ハウジング１０の頂部に熱を集中させ、調理の効率を高めるために、ケース体の４つの側面を内向きに傾斜させ、該ハウジング１０の外周輪郭の周囲長が、該ハウジング１０の底部から頂部に向かって短くなるようにし、具体的には、該ハウジング１０は、前側壁１１、後側壁１２、左側壁１３及び右側壁１４を有し、該前側壁１１と後側壁１２はそれぞれ、該ハウジング１０の対向する２つの側に設けられるとともに、互いに相手に向かって傾斜し、該左側壁１３と右側壁１４は、該ハウジング１０の対向する２つの側にそれぞれ設けられるとともに、互いに相手に向かって傾斜している。そのうち、前記前側壁１１と後側壁１２との結線は、前記左側壁１３と右側壁１４との結線に対して垂直である。
【００２１】
図１、図２及び図５に示すように、前記鍋本体２０は、前記ハウジング１０の頂部に設けられるとともに、第１調理槽２１と第２調理槽２２が形成される。尚、本実施形態では、該第１調理槽２１は浅く、炒め物のような料理に適し、該第２調理槽２２は深く、鍋物や汁物に適するが、これに限定されるものではない。
【００２２】
前記制御モジュール３０は、前記ハウジング１０内に設けられるとともに、手動操作部３１を有し、該手動操作部３１は、該ハウジング１０から突出し、具体的には回転式のつまみである。また、前記手動操作部３１、第１調理槽２１及び第２調理槽２２が一直線上に配列されているため、使いやすい。
【００２３】
本実施形態において、前記第１調理槽２１及び第２調理槽２２は、該第１調理槽２１、第２調理槽２２及び前記手動操作部３１の配列方向に対して垂直に長手方向に延びる長い溝であるため、細長い形状の食材を調理するのに便利であるが、該第１調理槽２１及び第２調理槽２２の具体的な形状はこれに限定されるものではない。
【００２４】
図３〜図５にさらに示すように、前記２つの電熱ユニットは、前記鍋本体２０に当接するとともに、それぞれ前記第１調理槽２１及び第２調理槽２２の下方に位置し、使用者が異なるタイプの料理を同時に調理しやいように、加熱電力が互いに異なっており、また、使用者が電熱ユニットを制御しやすいよう、該２つの電熱ユニットが、前記制御モジュール３０に電気接続されている。尚、本実施形態では、前記２つの電熱ユニットがそれぞれ、第１電熱ユニット４１及び第２電熱ユニット４２であって、それぞれ前記第１調理槽２１及び前記第２調理槽２２の下方に位置し、該各電熱ユニットは、１本の細長い形状の電熱管であり、且つ該第２電熱ユニット４２の長さは、該第１電熱ユニット４１の長さよりも長いため、該第２調理槽２２は、該第１調理槽２１よりも火力が強い。
【００２５】
前記第１電熱ユニット４１の具体的な形状は、以下のとおりである。本実施形態では、該第１電熱ユニット４１の形状がロの字型であり、具体的には、該第１電熱ユニット４１は、２つの第１直線部４１１及び２つの第２直線部４１２を有し、そのうち第１直線部４１１は、前記第１調理槽２１の長手方向に延びるとともに、互いに間隔を置いて設置されることで、該第１調理槽２１の火力が均一に分布し、該２つの第２直線部４１２は、該第１調理槽２１の長手方向に対して垂直（すなわち、２つの調理槽及び制御モジュール３０の手動操作部３１の配列方向）に延び、且つ該２つの第２直線部４１２がそれぞれ、該第１調理槽２１の底面の前記長手方向に沿った相対する両側辺に隣接することにより、該第１調理槽２１の両側辺の火力を強め、該第１調理槽２１の使用時に側辺の温度が上がらないという状況をなくす。
【００２６】
前記第２電熱ユニット４２の具体的な形状は、以下のとおりである。本実施形態では、該第２電熱ユニット４２の形状がＳ字型であり、具体的に述べると、該第２電熱ユニット４２は、３つの第１直線部４２１を有し、該第１直線部４２１は、前記第２調理槽２２の長手方向に延びるとともに、互いに間隔を置いて設けられる。尚、本実施形態では、該第２電熱ユニット４２の第１直線部４２１の間隔が、前記第１電熱ユニット４１の第１直線部４１１の間隔よりも小さく、前記第２調理槽２２の火力を、前記第１調理槽２１よりも集中させている。
【００２７】
本実施形態では、前記鍋本体２０の底面がそれぞれ、前記第１調理槽２１及び前記第２調理槽２２の下方に位置する第１嵌合溝２３及び第２嵌合溝２４を有し、前記第１電熱ユニット４１及び前記第２電熱ユニット４２をそれぞれ、該第１嵌合溝２３及び該第２嵌合溝２４に嵌合させることにより、該電熱ユニットと該鍋本体２０との接触面積を増大させ、加熱効果を高めている。
【００２８】
前記２つの過熱センサ５０は、前記鍋本体２０の底部側に当接するとともに、それぞれ前記第１調理槽２１及び前記第２調理槽２２の下方に位置させることにより、前記制御モジュール３０に電気接続させている。そのため、本考案が空炊き等によって前記第１調理槽２１又は第２調理槽２２の温度が過度に高くなると、前記過熱センサ５０により、前記制御モジュール３０が、熱電ユニットへの電力供給を強制的に切断させ、危険を回避することができる。尚、前記過熱センサ５０の数はこれに限定されるものではなく、１つだけであってもよい。
【００２９】
以上のように、本考案は、鍋本体内に２つの調理槽が形成され、各調理槽が電力の異なる電熱ユニットを有することで、使用者は２つの調理槽内で別々の料理を同時に調理でき、また、２つの調理槽と制御モジュールが一直線上に配列されているため、非常に使いやすい。
【００３０】
以上の説明は、本考案の好ましい実施形態に過ぎず、本考案に対して何ら形式上の限定を行うものではない。本考案は好ましい実施形態によって上記のように開示されているが、それは本考案を限定するためのものではなく、すべての当業者が、本考案の技術構想を逸脱しない範囲において、上記に開示する技術内容を用いて変更及び修飾を行った等価の実施形態で、且つ本考案の技術構想の内容を逸脱しないものは、本考案の技術的本質に基づいて上記の実施形態に対して行われたいかなる簡単な修正、等価の変更及び修飾も、依然としてすべて本考案の技術構想の範囲内にある。
【符号の説明】
【００３１】
１０     ハウジング
１１     前側壁
１２     後側壁
１３     左側壁
１４     右側壁
２０     鍋本体
２１     第１調理槽
２２     第２調理槽
２３     第１嵌合溝
２４     第２嵌合溝
３０     制御モジュール
３１     手動操作部
４１     第１電熱ユニット
４１１   第１直線部
４１２   第２直線部
４２     第２電熱ユニット
４２１   第１直線部
５０     過熱センサ
【図１】
0003224444.tif 000003
【図２】
0003224444.tif 000004
【図３】
0003224444.tif 000005
【図４】
0003224444.tif 000006
【図５】
0003224444.tif 000007
【図６】
0003224444.tif 000008